(57)【要約】【課題】記録媒体からの再生状態に、現在放送中のデジタル放送信号のデコードと同期をとり、同時に蓄積番組もデコードできるデジタル放送受信装置を得ることを目的とする。【解決手段】トランスポートストリームにタイムスタンプを付加するタイムスタンプ処理部２１０、ＴＳ切替えスイッチ部２０３、ＨＤＤ記録再生装置２１２、タイムスタンプが付加されたトランスポートストリームをＨＤＤ記録再生装置２１２に記録するＨＤＤ記録再生処理部２１１、複数ＴＳ同期制御部２０５、およびマイクロプロセッサ部２０９の指令に従ってＴＳ切替えスイッチ部２０３、タイムスタンプ処理部２１０、ＨＤＤ記録再生処理部２１１および複数ＴＳ同期制御部２０５の動作を制御する記録・同時再生手段２１３を有する。【選択図】　　　　図１
2004040579.tif 000002
【特許請求の範囲】
【請求項１】
再生タイミングを示すタイムスタンプ等の時間情報を有するデジタル放送を受信するデジタル放送受信部と、
デジタル情報にその再生タイミングを示すタイムスタンプを付与するタイムスタンプ付与部と、
上記タイムスタンプ付与部によってタイムスタンプの付与されたデジタル情報を蓄積するデジタル情報蓄積部と、
上記デジタル放送受信部が受信したデジタル放送の時間情報と、上記デジタル情報蓄積部に蓄積されたデジタル情報のタイムスタンプとに基づいて、当該デジタル放送およびデジタル情報の同期再生を制御する同期制御部とを有することを特徴とするデジタル放送受信装置。
【請求項２】
タイムスタンプ付与部が、
デジタル情報にタイムスタンプを付与して、タイムスタンプが付加されたデジタル情報を生成するタイムスタンプ発生部と、
デジタル情報蓄積部から再生されたデジタル情報のタイムスタンプから同期信号を抽出するタイムスタンプ同期信号抽出部とを有し、
上記デジタル情報蓄積部へのタイムスタンプが付与されたデジタル情報の記録および上記デジタル情報蓄積部からのデジタル情報の再生を制御するデジタル情報記録再生処理部をさらに有することを特徴とする請求項１記載のデジタル放送受信装置。
【請求項３】
同期制御部が、デジタル情報蓄積部に蓄積されたデジタル情報のタイムスタンプに基づいて、デジタル放送受信部が受信したデジタル放送および上記デジタル情報蓄積部に蓄積された上記デジタル情報を復号するタイミングを同期させることにより、当該デジタル放送およびデジタル情報の同期再生を制御することを特徴とする請求項２記載のデジタル放送受信装置。
【請求項４】
ネットワークインタフェース部をさらに有することを特徴とする請求項１記載のデジタル放送受信装置。
【請求項５】
タイムスタンプ発生部が、
デジタル情報を時間圧縮して圧縮されたデジタル情報を生成する時間圧縮部と、
タイムスタンプを生成するタイムスタンプ生成部と、
上記圧縮されたデジタル情報の各パケットに上記タイムスタンプを付加してタイムスタンプが付加されたデジタル情報を生成するタイムスタンプ合成部とを有することを特徴とする請求項２または請求項３記載のデジタル放送受信装置。
【請求項６】
アンテナからの放送波の番組のデジタル情報を受信する蓄積放送受信過程と、
上記デジタル情報にタイムスタンプを付加してタイムスタンプが付加されたデジタル情報を生成する番組タイムスタンプ付加過程と、
上記タイムスタンプが付加されたデジタル情報を記録する記録処理過程と、
受信された放送波の番組のデジタル情報が蓄積番組のデジタル情報と同期されるものであるか否かを判定するライブ番組デコード処理制御過程と、
上記蓄積番組のデジタル情報を再生する旨の指令を記録再生処理装置に伝える再生シーケンス決定過程と、
同期させるべき上記蓄積番組のデジタル情報を選択して、選択されたデジタル情報の再生を開始する再生番組デコード処理制御過程と、
上記選択されたデジタル情報から番組のタイムスタンプを抽出し、抽出したタイムスタンプを同期制御部へ伝達する番組タイムスタンプ処理過程と、
上記受信された放送波の番組のデジタル情報および上記蓄積番組のデジタル情報を同期させてデコードする放送番組との同期デコード過程とを有することを特徴とするデジタル放送同期再生方法。
【発明の詳細な説明】
【０００１】
【発明の属する技術分野】
この発明は、主にデジタル放送受信装置に関し、なかでもデジタル情報の蓄積機能を持ち、蓄積番組と実放送番組を同期して再生するデジタル放送受信装置、およびデジタル放送同期再生方法に関するものである。
【０００２】
【従来の技術】
図１１は例えば特開平９−２４７６０３号公報に記載された従来のデジタル放送受信装置の構成を示すブロック図であり、図１１において、１０１は受信復調部であり、１０２はパケットフィルタであり、１０３はＣＰＵであり、１０４は情報テーブル抽出器であり、１０５はユーザインタフェース（Ｉ／Ｆ）部であり、１０６は切換スイッチであり、１０７はＤＥＭＵＸであり、１０８はＡＶデコーダである。１０９はモニタであり、１１０は情報テーブル書換器であり、１１１は情報テーブル生成器であり、１１２は情報テーブル解析器であり、１１３は記録再生装置である。
【０００３】
次に、動作について説明する。
受信復調部１０１は受信したデジタル放送信号を復調する。情報テーブル抽出器１０４は、ＭＰＥＧ２システムに準じて、デジタル放送信号中に多重化されて伝送されてくるネットワークに関する情報テーブルＮＩＴ（Ｎｅｔｗｏｒｋ　Ｉｎｆｏｒｍａｔｉｏｎ　Ｔａｂｌｅ）、および各チャンネルの各番組に関する情報テーブル、即ち送信された番組全体の情報であるＰＡＴ（Ｐｒｏｇｒａｍ　Ａｓｓｏｃｉａｔｉｏｎ　Ｔａｂｌｅ）、各番組毎のパケット構成等に関する情報であるＰＭＴ（Ｐｒｏｇｒａｍ　Ｍａｐｐｉｎｇ　Ｔａｂｌｅ）、各番組の詳細な情報であるＥＩＴ（Ｅｖｅｎｔ　Ｉｎｆｏｒｍａｔｉｏｎ　Ｔａｂｌｅ）を、デジタル放送信号中から抽出する。
【０００４】
ユーザがユーザインタフェース部１０５を通じて記録したい番組を選択すると、ＣＰＵ１０３はテーブル情報によって記録する番組のパケットをパケットフィルタ１０２に指定する。パケットフィルタ１０２は指定のパケットを選択して出力する。またＣＰＵ１０３は、情報テーブル抽出器１０４によって抽出された各情報テーブル中の情報のうち、特にＰＭＴあるいはＥＩＴの中の記述子から記録するデジタル放送信号の番組関連情報を抽出する。
【０００５】
記録再生用の情報テーブル生成器１１１は、ＣＰＵ１０３によって抽出された記述子および情報から、ＭＰＥＧ２トランスポートパケット形式でかつ所定のＭＰＥＧ２のテーブルＩＤをもつテーブル形式の記録再生用の情報テーブルを生成する。情報テーブル書換器１１０は抽出した情報テーブルのうちＮＩＴを生成した記録再生用の情報テーブルによって置き換える。またＰＡＴおよびＰＭＴをパケットフィルタにより選択した番組およびパケットに関する情報のみが記載されるように書き換える。こうして生成された記録再生用の情報テーブルは、デジタル放送信号と共に記録再生装置１１３に送出され記録される。
【０００６】
再生時には、記録再生装置１１３は記憶媒体からの再生信号を出力する。出力されたデジタルテレビジョン信号から、情報テーブル解析器１１２は記録再生用の情報テーブルをはじめとする情報テーブルを抽出する。ＣＰＵ１０３は、情報テーブルの中から、受信したデジタル放送信号の番組のビットレート、放送開始日時、放送の時間長、番組の名前、および再生するチャンネル名を抽出する。ＣＰＵ１０３は、さらに切換スイッチ１０６を記録再生装置１１３側に切換える。またＣＰＵ１０３は抽出した情報、特に各ストリームの種別に基づき、受信したテレビジョン信号をＤＥＭＵＸ１０７により分離し、ＡＶデコーダ１０８に送り復号再生する。
【０００７】
【発明が解決しようとする課題】
従来のデジタル放送受信装置は以上のように構成されているので、現在放送されている実放送と蓄積された放送を同時間に同期して再生して、同じ表示装置に時間を合わせて同時に表示したり、切り替えて表示したりすることができないという課題があった。
【０００８】
この発明は上記のような課題を解決するためになされたもので、記録媒体からの再生状態に、現在放送中のデジタル放送信号のデコードと同期をとり、同時に蓄積番組もデコードでき、同じ表示装置に時間を合わせて同時に表示したり、切り替えて表示したりすることが容易にできるデジタル放送受信装置、およびデジタル放送同期再生方法を得ることを目的とする。
【０００９】
【課題を解決するための手段】
この発明に係るデジタル放送受信装置は、再生タイミングを示すタイムスタンプ等の時間情報を有するデジタル放送を受信するデジタル放送受信部と、デジタル情報にその再生タイミングを示すタイムスタンプを付与するタイムスタンプ付与部と、タイムスタンプ付与部によってタイムスタンプの付与されたデジタル情報を蓄積するデジタル情報蓄積部と、デジタル放送受信部が受信したデジタル放送の時間情報と、デジタル情報蓄積部に蓄積されたデジタル情報のタイムスタンプとに基づいて、当該デジタル放送およびデジタル情報の同期再生を制御する同期制御部とを有するものである。
【００１０】
この発明に係るデジタル放送受信装置は、タイムスタンプ付与部が、デジタル情報にタイムスタンプを付与して、タイムスタンプが付加されたデジタル情報を生成するタイムスタンプ発生部と、デジタル情報蓄積部から再生されたデジタル情報のタイムスタンプから同期信号を抽出するタイムスタンプ同期信号抽出部とを有し、デジタル情報蓄積部へのタイムスタンプが付与されたデジタル情報の記録およびデジタル情報蓄積部からのデジタル情報の再生を制御するデジタル情報記録再生処理部をさらに有するものである。
【００１１】
この発明に係るデジタル放送受信装置は、同期制御部が、デジタル情報蓄積部に蓄積されたデジタル情報のタイムスタンプに基づいて、デジタル放送受信部が受信したデジタル放送およびデジタル情報蓄積部に蓄積されたデジタル情報を復号するタイミングを同期させることにより、当該デジタル放送およびデジタル情報の同期再生を制御するものである。
【００１２】
この発明に係るデジタル放送受信装置は、ネットワークインタフェース部をさらに有するものである。
【００１３】
この発明に係るデジタル放送受信装置は、タイムスタンプ発生部が、デジタル情報を時間圧縮して圧縮されたデジタル情報を生成する時間圧縮部と、タイムスタンプを生成するタイムスタンプ生成部と、圧縮されたデジタル情報の各パケットにタイムスタンプを付加してタイムスタンプが付加されたデジタル情報を生成するタイムスタンプ合成部とを有するものである。
【００１４】
この発明に係るデジタル放送同期再生方法は、アンテナからの放送波の番組のデジタル情報を受信する蓄積放送受信過程と、デジタル情報にタイムスタンプを付加してタイムスタンプが付加されたデジタル情報を生成する番組タイムスタンプ付加過程と、タイムスタンプが付加されたデジタル情報を記録する記録処理過程と、受信された放送波の番組のデジタル情報が蓄積番組のデジタル情報と同期されるものであるか否かを判定するライブ番組デコード処理制御過程と、蓄積番組のデジタル情報を再生する旨の指令を記録再生処理装置に伝える再生シーケンス決定過程と、同期させるべき蓄積番組のデジタル情報を選択して、選択されたデジタル情報の再生を開始する再生番組デコード処理制御過程と、選択されたデジタル情報から番組のタイムスタンプを抽出し、抽出したタイムスタンプを同期制御部へ伝達する番組タイムスタンプ処理過程と、受信された放送波の番組のデジタル情報および蓄積番組のデジタル情報を同期させてデコードする放送番組との同期デコード過程とを有するものである。
【００１５】
【発明の実施の形態】
以下、この発明の実施の一形態を説明する。
実施の形態１．
図１は、この発明の実施の形態１によるデジタル放送受信装置の構成を示すブロック図である。図１において、２０１はアンテナに接続されたデジタルチューナ部であり、２０２はインターネットに接続されたネットワークインタフェース部である。２０３はＴＳ（ｔｒａｎｓｐｏｒｔ　Ｓｔｒｅａｍ）切替えスイッチ部であり、２０４はデマルチプレクサ部である。２０５は複数ＴＳ同期制御部であり、２０６はＭＰＥＧ音声デコーダ部であり、２０７はＭＰＥＧ映像デコーダ部である。２０８はグラフィック表示部であり、２０９はマイクロプロセッサ部である。２１０はタイムスタンプ処理部であり、２１１はＨＤＤ（ハードディスクドライブ）記録再生処理部であり、２１２はＨＤＤ記録再生装置である。１２０はスピーカであり、１０９はモニタであり、１２１は加算部である。
【００１６】
２１３はマイクロプロセッサ部２０９からの指令に従って動作する記録・同時再生手段であり、マイクロプロセッサ部２０９上で動作するソフトウエアとして実現される。２１４は番組タイムスタンプ付加手段であり、２１５はＨＤＤ記録処理手段である。２１６はライブ番組デコード処理制御手段であり、２１７はＨＤＤ再生シーケンス決定手段であり、２１８はＨＤＤ再生番組デコード処理制御手段であり、２１９は番組タイムスタンプ処理手段であり、２２０は放送番組との同期デコード手段である。記録・同時再生手段２１３は、番組タイムスタンプ付加手段２１４、ＨＤＤ記録処理手段２１５、ライブ番組デコード処理制御手段２１６、ＨＤＤ再生シーケンス決定手段２１７、ＨＤＤ再生番組デコード処理制御手段２１８、番組タイムスタンプ処理手段２１９、および放送番組との同期デコード手段２２０で構成されている。この実施の形態１およびその他の実施の形態では、記録媒体としてＨＤ（ハードディスク）を用いているが、例えばＤＶＤ−ＲＡＭ（Ｄｉｇｉｔａｌ　Ｖｅｒｓａｔｉｌｅ　Ｄｉｓｃ−Ｒａｎｄｏｍ　Ａｃｃｅｓｓ　Ｍｅｍｏｒｙ）などのその他の記録媒体を用いるようにしてもよく、上記のＨＤＤ記録再生処理部２１１、ＨＤＤ記録再生装置２１２およびＨＤＤ記録処理手段２１５などの名称は記録媒体としてその他の記録媒体を用いることを排除するものではない。
【００１７】
次に動作について説明する。
まず、映像データを記録（蓄積）する場合の動作について説明する。
放送電波をアンテナで受信し、デジタルチューナ部２０１で復調を行い所定のＴＳ（Ｔｒａｎｓｐｏｒｔ　Ｓｔｒｅａｍ：トランスポートストリーム）を獲得する。このトランスポートストリームをＴＳ切替えスイッチ部２０３で下流のデコーダ部（ＭＰＥＧ音声デコーダ部２０６およびＭＰＥＧ映像デコーダ部２０７）に至る経路に接続するか、蓄積のためのＨＤＤ記録再生装置２１２に至る経路に接続するかを選択する。記録（蓄積）の場合は、ＨＤＤ記録再生装置２１２に至る経路に接続され、タイムスタンプ処理部２１０で記録すべきトランスポートストリーム内にタイムスタンプを付加する。ここで、タイムスタンプとは、デマルチプレクサ部２０４で取りだされた放送波に含まれる番組情報のうちの時間情報との比較を行うための時間情報である。
【００１８】
次に、タイムスタンプが付加されたトランスポートストリームをＨＤＤ記録再生処理部２１１によりＨＤＤ記録再生装置２１２のディスク媒体に記録する。従来のパーソナルコンピュータに使用されているＨＤＤはデータの記録の管理をＯＳの内部のソフトウエアが行っていたが、映像データを記録する場合には連続したデータを高速にＨＤＤに記録する必要があるため、この発明の実施の形態１では、ハードウエアを主体に構成されたＨＤＤ記録再生処理部２１１が高速に処理をおこない、ＨＤＤに直接書き込むようにしている。
【００１９】
タイムスタンプ処理部２１０およびＨＤＤ記録再生処理部２１１の動作は、マイクロプロセッサ部２０９の指令に従って動作する記録・同時再生手段２１３の番組タイムスタンプ付加手段２１４およびＨＤＤ記録処理手段２１５で決定される。すなわち、番組タイムスタンプ付加手段２１４は、マイクロプロセッサ部２０９の指令に従ってタイムスタンプ処理部２１０を用いてＴＳ切替スイッチ部２０３からのトランスポートストリームにタイムスタンプを付加して、タイムスタンプが付加されたトランスポートストリームがタイムスタンプ処理部２１０から出力される。ＨＤＤ記録処理手段２１５は、マイクロプロセッサ部２０９の指令に従ってＨＤＤ記録再生処理部２１１を用いてタイムスタンプ処理部２１０から出力されたタイムスタンプが付加されたトランスポートストリームをＨＤＤ記録再生装置２１２に記録（蓄積）する。
【００２０】
次に、映像データをＨＤＤ記録再生装置２１２から再生する場合の動作について説明する。
まず、放送波が受信され、デジタルチューナ部２０１で復調を行い、所定のトランスポートストリームをＴＳ切替えスイッチ部２０３経由でデマルチプレクサ部２０４に入れ、番組情報と現在の時間情報を取り出す。記録・同時再生手段２１３のライブ番組デコード処理制御手段２１６は、マイクロプロセッサ部２０９の指令に従って、受信された放送波の番組のトランスポートストリームが蓄積番組のトランスポートストリームと同期されるものであるか否かを判定する。受信された放送波の番組のトランスポートストリームが蓄積番組のトランスポートストリームと同期されるものであると認識された場合は、記録・同時再生手段２１３のＨＤＤ再生シーケンス決定手段２１７はマイクロプロセッサ部２０９の指令に従って蓄積番組のトランスポートストリームを再生する指令をＨＤＤ記録再生装置２１２に伝える。次に、ＨＤＤ再生番組デコード処理制御手段２１８は、マイクロプロセッサ部２０９の指令に従って、蓄積番組のテーブル情報から同期させるべき番組ＩＤに等しいトランスポートストリームのデータを選択して、選択されたトランスポートストリームの再生を開始する。
【００２１】
選択されたトランスポートストリームの再生が始まると、番組タイムスタンプ処理手段２１９は、マイクロプロセッサ部２０９の指令に従って、タイムスタンプ処理部２１０を用いて選択されたトランスポートストリームから番組のタイムスタンプを抽出し、抽出したタイムスタンプを複数ＴＳ同期制御部２０５へ伝達する。
【００２２】
ライブ番組デコード処理制御手段２１６によって、受信された放送波の番組（放送番組）のトランスポートストリームが蓄積番組のトランスポートストリームと同期されるものでないと判定された場合には、上記のＨＤＤ再生シーケンス決定手段２１７およびＨＤＤ再生番組デコード処理制御手段２１８の動作は行なわれずに、番組タイムスタンプ処理手段２１９からは抽出したタイムスタンプが無いことを表すデータが複数ＴＳ同期制御部２０５へ伝達される。
【００２３】
放送番組のトランスポートストリームはデマルチプレクサ部２０４で映像のトランスポートストリームと音声のトランスポートストリームに分離され複数ＴＳ同期制御部２０５に入力される。同時にＨＤＤ記録再生装置２１２から再生された蓄積番組のトランスポートストリームはＴＳ切替えスイッチ部２０３を経由してデマルチプレクサ部２０４で映像のトランスポートストリームと音声のトランスポートストリームに分離され複数ＴＳ同期制御部２０５に入力される。
【００２４】
放送番組との同期デコード手段２２０は、マイクロプロセッサ部２０９の指令に従って、複数ＴＳ同期制御部２０５を用いて、入力された放送番組のトランスポートストリームの時間情報と蓄積番組のトランスポートストリームのタイムスタンプを比較して、蓄積番組が放送番組に同期するように蓄積番組のトランスポートストリームの音声のトランスポートストリームおよび映像のトランスポートストリームのデコードの開始タイミングを調整して、放送番組と蓄積番組のトランスポートストリームの音声のトランスポートストリームおよび映像のトランスポートストリームを、ＭＰＥＧ映像デコーダ部２０７およびＭＰＥＧ音声デコーダ部２０６を用いてデコード（復号）する。複数ＴＳ同期制御部２０５で調整しきれないずれは、放送番組との同期デコード手段２２０がＨＤＤ記録再生処理部２１１に指令を出してタイムスタンプ処理部２１０で抽出できるタイムスタンプを確認しながらＨＤＤ記録再生装置２１２からの蓄積番組のトランスポートストリームの読み出しのタイミングを調整する。
【００２５】
放送番組と蓄積番組の映像のトランスポートストリームと音声のトランスポートストリームはそれぞれＭＰＥＧ映像デコーダ部２０７とＭＰＥＧ音声デコーダ部２０６でデコードされる。デコードは放送番組との同期デコード手段２２０で制御されながら行なわれる。二つの番組は同じ表示画面に重ね合わされて合成されるか、もしくはユーザのリモコンのボタン指示によって切り替えられて、ビデオ信号としてモニタ（表示装置）１０９に出力される。
【００２６】
以上のように、この実施の形態１のデジタル放送受信装置は、再生タイミングを示すタイムスタンプ等の時間情報を有するデジタル放送を受信するデジタル放送受信部（２０１）と、デジタル情報にその再生タイミングを示すタイムスタンプを付与するタイムスタンプ付与部（２１０）と、タイムスタンプ付与部（２０１）によってタイムスタンプの付与されたデジタル情報を蓄積するデジタル情報蓄積部（２１２）と、デジタル放送受信部（２０１）が受信したデジタル放送の時間情報と、デジタル情報蓄積部（２１２）に蓄積されたデジタル情報のタイムスタンプとに基づいて、当該デジタル放送およびデジタル情報の同期再生を制御する同期制御部（２０５）とを有するものである。
【００２７】
以上のように、この実施の形態１によれば、予め記録した番組を放送番組と同期して再生するように構成したので、帯域の狭いバンド幅をもった放送においても複数の高精細の番組を同期させて表示することができ、さらに同期した番組を切り替えて表示することが可能になるという効果が得られる。
【００２８】
実施の形態２．
図２は、この発明の実施の形態２によるデジタル放送受信装置の構成を示すブロック図である。図２において、３０１はタイムスタンプ発生部であり、３０２はタイムスタンプ同期信号抽出部である。タイムスタンプ処理部２１０はタイムスタンプ発生部３０１およびタイムスタンプ同期信号抽出部３０２で構成されている。３０３はデータ制御部であり、３０４は記録部であり、３０５は再生部である。ＨＤＤ記録再生処理部２１１は、データ制御部３０３、記録部３０４および再生部３０５で構成されている。図１と等しい符号は同様の構成要素を示している。この実施の形態２は、実施の形態１のタイムスタンプ処理部２１０およびＨＤＤ記録再生処理部２１１の構成を詳細化したもので、その他の構成は図１の実施の形態１と等しい。
【００２９】
次に動作について説明する。
上述したように、この実施の形態２は実施の形態１のタイムスタンプ処理部２１０およびＨＤＤ記録再生処理部２１１の構成を詳細化したものであり、その他の部分の動作は実施の形態１と等しい。
【００３０】
データ制御部３０３は記録および再生の開始・終了の制御と記録された番組テーブルの管理を行い、ＨＤＤ記録処理手段２１５（図１）やＨＤＤ再生番組デコード処理制御手段２１８（図１）の指令に基づき、再生部３０５を用いた再生の制御（ＨＤＤ記録再生装置２１２からの再生されたトランスポートストリームの読み出し）および記録部３０４を用いた記録（蓄積）の制御（ＨＤＤ記録再生装置２１２へのタイムスタンプが付加されたトランスポートストリームの書き込み）を行う。タイムスタンプ発生部３０１は、デマルチプレクサ部２０４において取りだされた放送波に含まれる番組情報のうちの時間情報と比較しながら、番組開始からの時間情報としてのタイムスタンプを発生し、タイムスタンプをトランスポートストリームに付加してタイムスタンプを付加されたトランスポートストリームを生成する。タイムスタンプ同期信号抽出部３０２は蓄積番組（再生されたトランスポートストリーム）のタイムスタンプから複数ＴＳ同期制御部２０５で同期させるための同期信号を発生させると共に再生されたトランスポートストリームをＴＳ切替えスイッチ部２０３に供給する。
【００３１】
以上のように、この実施の形態２のデジタル放送受信装置は、タイムスタンプ付与部（２０１）が、デジタル情報にタイムスタンプを付与して、タイムスタンプが付加されたデジタル情報を生成するタイムスタンプ発生部（３０１）と、デジタル情報蓄積部（２１２）から再生されたデジタル情報のタイムスタンプから同期信号を抽出するタイムスタンプ同期信号抽出部（３０２）とを有し、デジタル情報蓄積部（２１２）へのタイムスタンプが付与されたデジタル情報の記録およびデジタル情報蓄積部（２１２）からのデジタル情報の再生を制御するデジタル情報記録再生処理部（２１１）をさらに有するものである。
【００３２】
以上のように、この実施の形態２によれば、予め記録した番組を放送番組と同期して再生するように構成したので、帯域の狭いバンド幅をもった放送においても複数の高精細の番組を同期させて表示することができ、さらに同期した番組を切り替えて表示することが可能になるという効果が得られる。
【００３３】
実施の形態３．
図３は、この発明の実施の形態３によるデジタル放送受信装置の構成を示すブロック図である。図１および図２と等しい符号は同様の構成要素を示している。この実施の形態３は、実施の形態１および実施の形態２においてＭＰＥＧ音声デコーダ部２０６およびＭＰＥＧ映像デコーダ部２０７とマイクロプロセッサ部２０９との間に複数ＴＳ同期制御部２０５を設けて、デマルチプレクサ部２０４をＭＰＥＧ音声デコーダ部２０６およびＭＰＥＧ映像デコーダ部２０７に直接接続するようにした構成である。その他の構成は実施の形態１および実施の形態２と等しい。
【００３４】
次に動作について説明する。
上述したように、この実施の形態３は、実施の形態１および実施の形態２においてＭＰＥＧ音声デコーダ部２０６およびＭＰＥＧ映像デコーダ部２０７とマイクロプロセッサ部２０９との間に複数ＴＳ同期制御部２０５を設けて、デマルチプレクサ部２０４をＭＰＥＧ音声デコーダ部２０６およびＭＰＥＧ映像デコーダ部２０７に直接接続するようにした構成であり、その他の構成要素の動作は実施の形態１および実施の形態２と等しい。
【００３５】
タイムスタンプ同期信号抽出部３０２が、ＭＰＥＧ音声デコーダ部２０６およびＭＰＥＧ映像デコーダ部２０７とマイクロプロセッサ部２０９との間に設けられた複数ＴＳ同期制御部２０５を直接制御する。これにより、ＨＤＤ記録再生装置２１２からのトランスポートストリームを制御して、放送番組と蓄積番組の同期をとる動作が行なわれる。
【００３６】
この実施の形態３は、実施の形態１の複数ＴＳ同期制御部２０５をＭＰＥＧ音声デコーダ部２０６およびＭＰＥＧ映像デコーダ部２０７とマイクロプロセッサ部２０９との間に設けて、デマルチプレクサ部２０４をＭＰＥＧ音声デコーダ部２０６およびＭＰＥＧ映像デコーダ部２０７に直接接続するようにした構成であり、このような構成にすることで、デマルチプレクサを経由して伝送されたトランスポートストリームをＭＰＥＧ映像デコーダ部２０７およびＭＰＥＧ音声デコーダ部２０６中のバッファで時間調整して同期をとることができ、複数ＴＳ同期制御部２０５の内部回路が簡単なもので済むという効果がある。
【００３７】
以上のように、この実施の形態３のデジタル放送受信装置は、同期制御部（２０５）が、タイムスタンプ同期信号抽出部（３０２）によって抽出された同期信号に基づいて、デジタル放送受信部（２０１）が受信したデジタル放送およびデジタル情報蓄積部（２１２）に蓄積されたデジタル情報の同期再生を制御するものである。
【００３８】
以上のように、この実施の形態３によれば、複数ＴＳ同期制御部が、タイムスタンプ同期信号抽出部によって抽出された同期信号に基づいて、デジタル放送受信部が受信したデジタル放送およびデジタル情報蓄積部に蓄積されたデジタル情報の同期再生を制御するように構成したので、複数ＴＳ同期制御部の内部回路が簡単なもので済むという効果が得られる。
【００３９】
実施の形態４．
図４は、この発明の実施の形態４によるデジタル放送受信装置の構成を示すブロック図である。図４において、５０１は蓄積放送受信手段であり、５０２はネットワーク伝送データ受信手段である。記録・同時再生手段２１３は、蓄積放送受信手段５０１、およびネットワーク伝送データ受信手段５０２を含むように構成されている。図１と等しい符号は同様の構成要素を示す。この実施の形態４は実施の形態１において記録・同時再生手段２１３が、蓄積放送受信手段５０１、およびネットワーク伝送データ受信手段５０２を含むように構成したものである。
【００４０】
次に動作について説明する。
上述したように、この実施の形態４は、実施の形態１において記録・同時再生手段２１３が、蓄積放送受信手段５０１、およびネットワーク伝送データ受信手段５０２を含むように構成したものであり、この構成の相違による動作以外は実施の形態１と同様の動作となる。
【００４１】
蓄積放送受信手段５０１は、マイクロプロセッサ部２０９の指令に従ってデジタルチューナ部２０１を動作させてアンテナからの放送波の番組（放送番組）のトランスポートストリームを受信する。ネットワーク伝送データ受信手段５０２は、マイクロプロセッサ部２０９の指令に従ってネットワークインタフェース部２０２を動作させて外部ネットワークのサーバからのコンテンツのトランスポートストリームを取得する。番組タイムスタンプ付加手段２１４は、マイクロプロセッサ部２０９の指令に従ってタイムスタンプ処理部２１０を用いてＴＳ切替えスイッチ部２０３からのトランスポートストリームにタイムスタンプを付加して、タイムスタンプが付加されたトランスポートストリームがタイムスタンプ処理部２１０から出力される。ＨＤＤ記録処理手段２１５は、マイクロプロセッサ部２０９の指令に従ってＨＤＤ記録再生処理部２１１を用いてタイムスタンプ処理部２１０から出力されたタイムスタンプが付加されたトランスポートストリームをＨＤＤ記録再生装置２１２に記録（蓄積）する。
【００４２】
以上のように、この実施の形態４のデジタル放送受信装置は、実施の形態１のデジタル放送受信装置において、ネットワークインタフェース部（２０２）を更に有するものである。
【００４３】
以上の説明では、実施の形態４をデジタル放送受信装置として説明したが、この実施の形態４をデジタル放送同期再生方法として実現することもできる。すなわち、図１に示された実施の形態１および図４に示された実施の形態４のデジタル放送受信装置の記録・同時再生手段２１３に含まれる各手段が行なう処理に対応する過程を有するデジタル放送同期再生方法として、実施の形態４を実現することもできる。
【００４４】
図１０は、この発明の実施の形態４のデジタル放送同期再生方法のフローチャートである。
【００４５】
次に動作について説明する。
蓄積番組記録時の動作について説明する。
ステップＳＴ５００では、マイクロプロセッサの指示に従って、放送波の番組を受信するか、外部ネットワークのサーバからのコンテンツを取得するかを選択し、放送波の番組を受信する場合にはステップＳＴ５０１に進み、外部ネットワークのサーバからのコンテンツを取得する場合にはステップＳＴ５０２に進む。ステップＳＴ５０１では、アンテナからの放送波の番組（放送番組）のトランスポートストリームを受信する。ステップＳＴ５０２では、ネットワークインタフェース部２０２を動作させて外部ネットワークのサーバからのコンテンツのトランスポートストリームを取得する。
【００４６】
ステップＳＴ２１４では、タイムスタンプ処理部２１０を用いてＴＳ切替えスイッチ部２０３からのトランスポートストリームにタイムスタンプを付加する。ステップＳＴ２１５では、ＨＤＤ記録再生処理部２１１を用いてタイムスタンプ処理部２１０から出力されたタイムスタンプが付加されたトランスポートストリームをＨＤＤ記録再生装置２１２に記録（蓄積）する。
【００４７】
次に同時再生時の動作について説明する。
ステップＳＴ２１６では、受信された放送波の番組のトランスポートストリームが蓄積番組のトランスポートストリームと同期されるものであるか否かを判定する。受信された放送波の番組のトランスポートストリームが蓄積番組のトランスポートストリームと同期されるものであると認識された場合は、ステップＳＴ２１７に進み、そうでない場合にはステップＳＴ２１９に進む。
【００４８】
ステップＳＴ２１７では、蓄積番組のトランスポートストリームを再生する指令をＨＤＤ記録再生装置２１２に伝える。ステップＳＴ２１８では、蓄積番組のテーブル情報から同期させるべき番組ＩＤに等しいトランスポートストリームのデータを選択して、選択されたトランスポートストリームの再生を開始する。
【００４９】
ステップＳＴ２１９では、タイムスタンプ処理部２１０を用いて選択されたトランスポートストリームから番組のタイムスタンプを抽出し、抽出したタイムスタンプを複数ＴＳ同期制御部２０５へ伝達する。ステップＳＴ２２０では、複数ＴＳ同期制御部２０５を用いて、入力された放送番組のトランスポートストリームの時間情報と蓄積番組のトランスポートストリームのタイムスタンプを比較して、蓄積番組が放送番組に同期するように蓄積番組のトランスポートストリームの音声のトランスポートストリームおよび映像のトランスポートストリームのデコードの開始タイミングを調整して、放送番組と蓄積番組のトランスポートストリームの音声のトランスポートストリームおよび映像のトランスポートストリームを、ＭＰＥＧ映像デコーダ部２０７およびＭＰＥＧ音声デコーダ部２０６を用いてデコード（復号）する。
【００５０】
以上のように、この実施の形態４のデジタル放送同期再生方法は、アンテナからの放送波の番組のデジタル情報を受信する蓄積放送受信過程（ステップＳＴ５０１）と、デジタル情報にタイムスタンプを付加してタイムスタンプが付加されたデジタル情報を生成する番組タイムスタンプ付加過程（ステップＳＴ２１４）と、タイムスタンプが付加されたデジタル情報を記録する記録処理過程（ステップＳＴ２１５）と、受信された放送波の番組のデジタル情報が蓄積番組のデジタル情報と同期されるものであるか否かを判定するライブ番組デコード処理制御過程（ステップＳＴ２１６）と、蓄積番組のデジタル情報を再生する旨の指令を記録再生処理装置（２１１）に伝える再生シーケンス決定過程（ステップＳＴ２１７）と、同期させるべき蓄積番組のデジタル情報を選択して、選択されたデジタル情報の再生を開始する再生番組デコード処理制御過程（ステップＳＴ２１８）と、選択されたデジタル情報から番組のタイムスタンプを抽出し、抽出したタイムスタンプを同期制御部（２０５）へ伝達する番組タイムスタンプ処理過程（ステップＳＴ２１９）と、受信された放送波の番組のデジタル情報および蓄積番組のデジタル情報を同期させてデコードする放送番組との同期デコード過程（ステップＳＴ２２０）とを有するものである。
【００５１】
以上のように、この実施の形態４によれば、ネットワークインタフェース部を用いて外部ネットワークのサーバからのコンテンツを取得するようにしたので、取得したコンテンツを記録して再生できる効果が得られる。
【００５２】
実施の形態５．
図５は、この発明の実施の形態５によるデジタル放送受信装置の構成を示すブロック図である。図５において、６０１はＴＳパケット時間圧縮部であり、６０７はＴＳデータ書き込み部であり、６０８はメモリであり、６０９はＴＳデータ読み出し部である。ＴＳパケット時間圧縮部６０１は、ＴＳデータ書き込み部６０７、メモリ６０８、およびＴＳデータ読み出し部６０９で構成されている。６０５はタイムスタンプ生成部であり、６０６はタイムスタンプ合成部である。タイムスタンプ発生部３０１（図２にも示されている）は、ＴＳパケット時間圧縮部６０１、タイムスタンプ生成部６０５、およびタイムスタンプ合成部６０６で構成されている。６０２はＴＳパケット時間圧縮手段であり、６０３はタイムスタンプ生成手段であり、６０４はタイムスタンプ挿入手段である。記録・同時再生手段２１３の番組タイムスタンプ付加手段２１４（図１にも示されている）は、ＴＳパケット時間圧縮手段６０２、タイムスタンプ生成手段６０３、およびタイムスタンプ挿入手段６０４を含む。この実施の形態５は実施の形態２のタイムスタンプ発生部３０１を詳細化し、詳細化されたタイムスタンプ発生部３０１に対応して実施の形態１の記録・同時再生手段２１３の番組タイムスタンプ付加手段２１４を構成したものである。
【００５３】
次に動作について説明する。
図６は記録されるトランスポートストリームにタイムスタンプを挿入する状態を概念的に示す図である。図６において、７０１はトランスポートストリームであり、７０２は圧縮されたトランスポートストリームであり、７０３はタイムスタンプであり、７０４はタイムスタンプが付加されたトランスポートストリームである。ＴＳ方式の伝送（デジタルＢＳ放送およびデジタルＣＳ放送はこれを用いている）は、１８８バイト単位のパケットに分割してデータ（トランスポートストリーム）を伝送している。各パケットの間隔は一定なので、バースト的に間隔を縮めたり長くしたりして伝送レートを調節する場合があり、到達時間を再現するには、記録的に１８８バイトのパケットが到達するたびに、受信機の内部時計を参照してＨＤＤにタイムスタンプを記録しておく必要がある。このようにすれば、再生時にこのタイムスタンプを見て、この時間間隔で１８８バイトのパケットを送出することによりトランスポートストリームを再現できる。１８８バイトのパケットが送信される間隔でＨＤＤにタイムスタンプを記録するために、１８８バイトで送られてくるパケットのバイトの間隔を圧縮する。
【００５４】
番組タイムスタンプ付加手段２１４は、マイクロプロッサ部２０９の指令に従って、ＴＳパケット時間圧縮部６０１を用いて以下のように圧縮を行う。ＴＳデータ書き込み部６０７によりデータがメモリ６０８に書き込まれる。次に、例えば圧縮率を２分の１にする場合は、１８８バイト書き込みが終了した時点で、ＴＳデータ読み出し部６０９で２倍の速度で読み出す。ＴＳパケットの圧縮の制御はＴＳパケット時間圧縮手段６０２によりなされ、圧縮率やメモリ書き込み・読み出しタイミングなどをＴＳパケット時間圧縮部６０１を制御して実現する。これにより１パケット１８８バイトのデータ列からなるトランスポートストリーム７０１（図６）はデータ圧縮されて圧縮されたパケットの列からなる圧縮されたトランスポートストリーム７０２（図６）のようにパケットの間隔を開けることができる。
【００５５】
タイムスタンプ生成手段６０３は、マイクロプロセッサ部２０９の指令に従いタイムスタンプ生成部６０５を用いてタイムスタンプ７０３を作成する。タイムスタンプ挿入手段６０４は、マイクロプロセッサ部２０９の指令に従いタイムスタンプ合成部６０６を用いて作成されたタイムスタンプ７０３を圧縮されたパケットの列からなる圧縮されたトランスポートストリーム７０２に挿入して、図６に示すように挿入されたタイムスタンプ７０３が圧縮されたトランスポートストリーム７０２の各パケットの後に付加されて、タイムスタンプが付加されたトランスポートストリーム７０４が生成されて、ＨＤＤ記録再生装置２１２（図１）に記録される。
【００５６】
図７はタイムスタンプのデータ構造を示す図である。図７において、８０１は番組ＩＤ番号であり、８０２は番組放送予定開始時間であり、８０３は番組開始からのタイムスタンプである。タイムスタンプのデータ構造は、番組ＩＤ番号８０１、番組放送予定開始時間８０２、および番組開始からのタイムスタンプ８０３から成り立っている。
【００５７】
図８はこの発明のデジタル放送受信装置により受信される番組例を示す図である。図８において９０１は放送で伝送された映像であり、９０２は予め蓄積された映像である。料理番組などの放送でハイビジョン１番組の帯域で２番組分を同時に同期させて放送する場合を示している。予めアングルの違う２つの映像を撮影しておき、１つ目のアングルの映像を予め蓄積装置に蓄積させておき、もう１つのアングルの映像を放送で伝送する。
【００５８】
図８の例では表示装置（モニタ）に主映像として放送で伝送された映像９０１を表示させ、料理をしている様子を上側のカメラで撮影した映像からなる予め蓄積された映像９０２をピクチャーインピクチャーで表示している。リモコンを用いて放送で伝送された映像９０１と予め蓄積された映像９０２を入れかえることも可能である。このように２つの映像を同期させて再生することで、１つの帯域で複数の高精細の番組を同期させて再生するという効果を生ずる。
【００５９】
図９はこの発明のデジタル放送受信装置により受信される他の番組例を示す図である。図９において、１００１は放送で伝送された映像であり、１００２は予め蓄積された映像である。図９の例では、表示装置（モニタ）の画面を２分割してアングルの異なる放送で伝送された映像１００１と予め蓄積された映像１００２を同時に同期させて表示している。
【００６０】
図８および図９では、アングルの異なる２つの映像を同期させて表示する例を示したが、その他の例としてスピードスケートの映像を表示する場合がある。前日放送した予選の内容を予めＨＤＤに自動的に（放送局の指令で）予め蓄積された映像として蓄積させておき、当日の決勝戦の映像を放送で伝送された映像とすることにより、前日の予選でのすべりと当日の決勝戦でのすべりを同期させて比較して放送できるという効果がある。
【００６１】
同様に、スポーツ番組（ジャンプ、アルペン、滑降、マラソン、短距離走、体操など）では、過去の競技のフォームやタイムなどを比較して放送できるという効果がある。
【００６２】
自然をテーマにした番組では、動物の生態を過去に撮った映像を予め放送番組前にいくつか伝送しておき、ユーザの好みに応じて本放送の映像と同期させて比較できるという効果がある。また、特定の動物の成長の過程を現在の様子と比較しながら観察することができるという効果がある。
【００６３】
以上のように、この実施の形態５のデジタル放送受信装置は、タイムスタンプ発生部（３０１）が、デジタル情報を時間圧縮して圧縮されたデジタル情報を生成する時間圧縮部（６０１）と、タイムスタンプを生成するタイムスタンプ生成部（６０５）と、圧縮されたデジタル情報の各パケットにタイムスタンプを付加してタイムスタンプが付加されたデジタル情報を生成するタイムスタンプ合成部（６０６）とを有するものである。
【００６４】
以上のように、この実施の形態５によれば、トランスポートストリームを圧縮してタイムスタンプを付加するように構成したので、付加されたタイムスタンプをもとに予め記録した番組を放送番組と同期して再生することができる効果が得られる。
【００６５】
【発明の効果】
以上のように、この発明によれば、予め記録した番組を放送番組と同期して再生するように構成したので、帯域の狭いバンド幅をもった放送においても複数の高精細の番組を同期させて表示することができ、さらに同期した番組を切り替えて表示することが可能になるという効果がある。
【００６６】
この発明によれば、同期制御部が、タイムスタンプ同期信号抽出部によって抽出された同期信号に基づいて、デジタル放送および蓄積されたデジタル情報の同期再生を制御するように構成したので、同期制御部の内部回路が簡単なもので済むという効果がある。
【００６７】
この発明によれば、ネットワークインタフェース部を用いて外部ネットワークのサーバからのコンテンツを取得するように構成したので、取得したコンテンツを記録して再生できる効果がある。
【００６８】
この発明によれば、デジタル情報を圧縮してタイムスタンプを付加するように構成したので、付加されたタイムスタンプをもとに予め記録した番組を放送番組と同期して再生することができる効果がある。
【図面の簡単な説明】
【図１】この発明の実施の形態１によるデジタル放送受信装置の構成を示すブロック図である。
【図２】この発明の実施の形態２によるデジタル放送受信装置の構成を示すブロック図である。
【図３】この発明の実施の形態３によるデジタル放送受信装置の構成を示すブロック図である。
【図４】この発明の実施の形態４によるデジタル放送受信装置の構成を示すブロック図である。
【図５】この発明の実施の形態５によるデジタル放送受信装置の構成を示すブロック図である。
【図６】記録されるトランスポートストリームにタイムスタンプを挿入する状態を概念的に示す図である。
【図７】タイムスタンプのデータ構造を示す図である。
【図８】この発明のデジタル放送受信装置により受信される番組例を示す図である。
【図９】この発明のデジタル放送受信装置により受信される他の番組例を示す図である。
【図１０】この発明の実施の形態４のデジタル放送同期再生方法のフローチャートである。
【図１１】従来のデジタル放送受信装置の構成を示すブロック図である。
【符号の説明】
１０９　モニタ、１２０　スピーカ、１２１　加算部、２０１　デジタルチューナ部、２０２　ネットワークインタフェース部、２０３　ＴＳ切替えスイッチ部、２０４　デマルチプレクサ部、２０５　複数ＴＳ同期制御部、２０６　ＭＰＥＧ音声デコーダ部、２０７　ＭＰＥＧ映像デコーダ部、２０８　グラフィック表示部、２０９　マイクロプロセッサ部、２１０　タイムスタンプ処理部、２１１　ＨＤＤ記録再生処理部、２１２　ＨＤＤ記録再生装置、２１３　記録・同時再生手段、２１４　番組タイムスタンプ付加手段、２１５　ＨＤＤ記録処理手段、２１６　ライブ番組デコード処理制御手段、２１７　ＨＤＤ再生シーケンス決定手段、２１８　ＨＤＤ再生番組デコード処理制御手段、２１９　番組タイムスタンプ処理手段、２２０　放送番組との同期デコード手段、３０１　タイムスタンプ発生部、３０２　タイムスタンプ同期信号抽出部、３０３　データ制御部、３０４　記録部、３０５　再生部、５０１　蓄積放送受信手段、５０２　ネットワーク伝送データ受信手段、６０１　ＴＳパケット時間圧縮部、６０２　ＴＳパケット時間圧縮手段、６０３　タイムスタンプ生成手段、６０４　タイムスタンプ挿入手段、６０５　タイムスタンプ生成部、６０６　タイムスタンプ合成部、６０７　ＴＳデータ書き込み部、６０８　メモリ、６０９　ＴＳデータ読み出し部、７０１　トランスポートストリーム、７０２　圧縮されたトランスポートストリーム、７０３　タイムスタンプ、７０４　タイムスタンプが付加されたトランスポートストリーム、８０１　番組ＩＤ番号、８０２　番組放送予定開始時間、８０３　番組開始からのタイムスタンプ、９０１　放送で伝送された映像、９０２　予め蓄積された映像、１００１　放送で伝送された映像、１００２　予め蓄積された映像。
【図１】
2004040579.tif 000003
【図２】
2004040579.tif 000004
【図３】
2004040579.tif 000005
【図４】
2004040579.tif 000006
【図５】
2004040579.tif 000007
【図６】
2004040579.tif 000008
【図７】
2004040579.tif 000009
【図８】
2004040579.tif 000010
【図９】
2004040579.tif 000011
【図１０】
2004040579.tif 000012
【図１１】
2004040579.tif 000013